(57)【要約】【課題】構成が簡素化され、それにより施工コストの低減が図られ、かつ、施工期間が短縮される地下灌漑システムを提供する。【解決手段】一方に配設された給水桝１と、他方に配設された排水桝２と、給水桝１と接続され有孔給水管５に給水する給水分配管３と、排水桝２と接続され有孔給水管５からの排水を集水する排水集水管４と、排水桝２に接続された排水管９と、給水桝１に給水する給水設備と、制御盤Ｃとを備え、排水桝２は水位検出器Ｗを有する水位検出室２ｂと、水位検出室２ｂからのオーバーフロー水を貯留する排出室２ｃとを有し、制御盤Ｃは水位検出器Ｗからの水位検出信号に基づいて給水設備の給水を制御するようにした地下灌漑システムＳである。【選択図】図１
2015000035.tif 000002
【特許請求の範囲】
【請求項１】
圃場の地中に有孔給水管を埋設して灌漑をなす地下灌漑システムであって、
一方に配設された給水桝と、他方に配設された排水桝と、前記給水桝と接続され前記有孔給水管に給水する給水分配管と、前記排水桝と接続され前記有孔給水管からの排水を集水する排水集水管と、前記排水桝に接続された排水管と、前記給水桝に給水する給水設備と、制御盤と、を備え、
前記排水桝は、水位検出器を有する水位検出室と、前記水位検出室からのオーバーフロー水を貯留する排出室とを有し、
前記制御盤は、前記水位検出器からの水位検出信号に基づいて前記給水設備の給水を制御する
ことを特徴とする地下灌漑システム。
【請求項２】
給水桝の底面と、排水桝の底面と、有孔給水管の底面、給水分配管の底面と、排水集水管の底面と、排水管の底面とが、実質的に同一レベルとされてなることを特徴とする請求項１記載の地下灌漑システム。
【請求項３】
水位検出器は、水位検出室の上限水位および下限水位を検出するものとされ、
給水設備は、給水ポンプを有し、
制御盤は、前記水位検出器からの下限水位検出信号に応答して前記給水ポンプを起動し、同水位検出器からの上限水位検出信号に応答して同給水ポンプを停止することを特徴とする請求項１記載の地下灌漑システム。
【発明の詳細な説明】
【技術分野】
【０００１】
本発明は地下灌漑システムに関する。さらに詳しくは、地下に埋設した有孔給水管から排水水位を調節することによって圃場の地下水位や地表水位を調節する地下灌漑システムに関する。
【背景技術】
【０００２】
従来より、地下に埋設した有孔給水管から灌漑水を供給して収穫量の増大を図ることがなされている。
【０００３】
しかるに、圃場の灌漑水量は、畑作と稲作との相違、作物の生育状況、圃場の地質などの条件に応じて適切になす必要がある。また、かかる灌漑においても肥料の流失を最小限に抑えることも求められる。さらに、供給される用水中にゴミや土砂のような異物が多く含まれていると、これらの異物が有孔給水管内に蓄積して通水性能を阻害するおそれもある。
【０００４】
かかる従来の地下灌漑の課題を解決すべく特許文献１には、圃場の地中に有孔管を埋設するとともにこの有孔管の下流側に水位設定器を設置し、この水位設定器で排水水位を調節することにより圃場の水位を設定する地下灌漑システムにおいて、給水路からの用水を前記有孔管に供給するための地下給水管を地中に埋設し、この地下給水管と前記有孔管とを、同有孔管の排水側で接続するとともに、前記給水路から供給される用水を耕作区地表面に供給可能で、かつ、耕作区内の余剰の用水を前記地下給水管に排出可能な給水桝を設けてなるものが提案されている。
【０００５】
しかしながら、特許文献１の提案に係るシステムにおいては、有孔管に給水する地下給水管を備えてなるところから、構成が複雑であるとともに、施工コストの上昇および施工期間の長期化を招来しているという問題がある。
【先行技術文献】
【特許文献】
【０００６】
【特許文献１】特許第３６７１３７３号公報
【発明の開示】
【発明が解決しようとする課題】
【０００７】
本発明はかかる従来技術の課題に鑑みなされたものであって、構成が簡素化され、それにより施工コストの低減が図られ、かつ、施工期間が短縮される地下灌漑システムを提供することを目的としている。
【課題を解決するための手段】
【０００８】
本発明の地下灌漑システムは、圃場の地中に有孔給水管を埋設して灌漑をなす地下灌漑システムであって、一方に配設された給水桝と、他方に配設された排水桝と、前記給水桝と接続され前記有孔給水管に給水する給水分配管と、前記排水桝と接続され前記有孔給水管からの排水を集水する排水集水管と、前記排水桝に接続された排水管と、前記給水桝に給水する給水設備と、制御盤と、を備え、前記排水桝は、水位検出器を有する水位検出室と、前記水位検出室からのオーバーフロー水を貯留する排出室とを有し、前記制御盤は、前記水位検出器からの水位検出信号に基づいて前記給水設備の給水を制御することを特徴とする。
【０００９】
本発明の地下灌漑システムにおいては、給水桝の底面と、排水桝の底面と、有孔給水管の底面、給水分配管の底面と、排水集水管の底面と、排水管の底面とが、実質的に同一レベルとされてなるのが好ましい。
【００１０】
また、本発明の地下灌漑システムにおいては、水位検出器は水位検出室の上限水位および下限水位を検出するものとされ、給水設備は給水ポンプを有し、制御盤は、前記水位検出器からの下限水位検出信号に応答して前記給水ポンプを起動し、同水位検出器からの上限水位検出信号に応答して同給水ポンプを停止するものとされる。
【発明の効果】
【００１１】
本発明は前記の如く構成されているので、地下灌漑システムの構成の簡素化を図られるという優れた効果を奏する。
【図面の簡単な説明】
【００１２】
【図１】本発明の一実施形態に係る地下灌漑システムの概略システム図である。
【図２】同概略平面図である。
【図３】有孔給水管の展開図である。
【図４】制御盤の操作面の概略図である。
【発明を実施するための形態】
【００１３】
以下、添付図面を参照しながら本発明を実施形態に基づいて説明するが、本発明はかかる実施形態のみに限定されるものではない。
【００１４】
図１および図２に、本発明の一実施形態に係る地下灌漑システムＳを概略図で示す。
【００１５】
地下灌漑システムＳは。圃場Ｋの一端部に一部が埋込状態で配設される給水桝１と、圃場Ｋの他端部に一部が埋込状態で配設される排水桝２と、給水桝１の前方（排水桝２側）に配設される給水分配管３と、排水桝２の後方（給水桝１側）に配設される排水集水管４と、給水分配管３と排水集水管４との間に配設される所要数の有孔給水管５と、給水桝１と給水分配管３とを連絡する給水連絡管６と、排水桝２と排水集水管４とを連絡する排水連絡管７と、用水路Ｍから給水桝１に給水する給水配管８および給水ポンプＰを有する給水設備と、排水桝２から排水路Ｎに排水する排水管９と、排水桝２の水位を検出する水位検出器Ｗと、水位検出器Ｗの検出水位に基づいて給水ポンプＰをオンオフする制御盤Ｃと、を主要構成要素として備えてなるものとされる。
【００１６】
ここで、給水桝１の底面と、排水桝２の底面と、給水分配管３の底面と、排水集水管４の底面、有孔給水管５の底面と、給水連絡管６の底面と、排水連絡管７の底面と、排水管９の底面とは、実質的に同一レベルとされている。つまり、各底部が同一水平面上に存在するようにされている。
【００１７】
給水桝１は、例えば、塩ビ管からなる円筒体とされ、底部でエルボにて給水連絡管６と接続されている。
【００１８】
排水桝２は、例えば、塩ビ管からなる円筒体とされるとともに、仕切板２ａにより内部が二分割されてなるものとされる。仕切板２ａの高さは、オーバーフローレベルに設定されている。
【００１９】
排水桝２底部はＴピース状とされ、後方は排水連絡管７と接続され、前方は排水管９と接続されている。
【００２０】
二分割された一方の部屋には、水位検出器Ｗが配設されて水位検出室２ｂとされている。二分割された他方の部屋は、水位検出室２ｂからオーバーフローしてきた水を貯留して排出する排出室２ｃとされている。
【００２１】
水位検出器Ｗは、水位検出室２ｂの上限水位と下限水位を検出するものとされる。水位検出器Ｗは、例えば、フロートスイッチを有する水位センサや電極を有する水位センサとされる。
【００２２】
給水分配管３は、例えば、両端が塞がれた塩ビ管からなるものとされ、中央に給水連絡管６との接続部を後方に向けて有し、適宜ピッチで有孔給水管５との接続部を前方に向けて有するものとされる。接続部は、例えばＴピースにより形成される。なお、給水分配管３の端部の構成は前記に限定されるものではなく、例えば、端部はエルボ状とされてもよい。
【００２３】
排水集水管４は、例えば、両端が塞がれた塩ビ管からなるものとされ、中央に排水連絡管７との接続部を前方に向けて有し、適宜ピッチで有孔給水管５との接続部を前方に向けて有するものとされる。接続部は、例えばＴピースにより形成される。なお、排水集水管４の端部の構成は前記に限定されるものではなく、例えば、端部はエルボ状とされてもよい。
【００２４】
有孔給水管５は、例えば、図３に示すような多数の孔５ａが形成された合成樹脂からなるシートを円筒状に形成してなるものとされる。有孔給水管５の上流側端部（後端部）は、給水分配管３に接続され、一方下流側端部（前端部）は、排水集水管４に接続される。
【００２５】
給水ポンプＰは、用水路Ｍから給水桝１に給水できるヘッドおよび灌漑に足る給水容量を有するものとされる。給水ポンプＰは、例えば、水中ポンプとされてもよい。給水ポンプＰは下限水位でオンされる一方、上限水位でオフされるものとされる。
【００２６】
給水連絡管６、排水連絡管７、排水管９および給水配管８は、例えば、塩ビ管からなるものとされる。
【００２７】
制御盤Ｃは、前述したように、水位検出器Ｗの検出水位に応答して給水ポンプＰを動作させるものとされる。制御盤Ｃは、例えば、ロジックＩＣを中心として構成される。また、制御盤Ｃは、図４に示すように、電源スイッチＣ１と、給水ポンプ電源コンセントＣ２と、下位水位センサ接続端子Ｃ３と、上位水位センサ接続端子Ｃ４と、ポンプ電源オン動作確認ランプＣ５とを有するものとされる。
【００２８】
しかして、排水桝２の水位が上限水位以下の状態において電源スイッチＣ１をオンにすると給水ポンプＰが起動して地中灌漑がなされる。なお、通常は、給水ポンプＰの自動運転により水位検出室２ｂの水位が所定範囲に維持されて所定の灌漑がなされる。
【００２９】
しかるに、大雨などにより余剰の水が圃場Ｋに供給された場合、その余剰水は有孔給水管５により集水されて排出室２ｃから排水管９を介して排水路Ｎに排水される。そのため、余剰水による作物の根腐れが生ずるおそれはない。
【００３０】
このように、本実施形態においては、有孔給水管５の下方に別途に給水管を埋設する必要がないので、構成の簡素化および施工の簡素化が図られる。また、構成が簡素化されているので、製作および施工コストの低減ならびに施工期間の短縮も図られる。
【００３１】
以上、本発明を実施形態に基づいて説明してきたが、本発明はかかる実施形態のみに限定されるものではなく、種々改変が可能である。
【００３２】
例えば、本実施形態では、給水ポンプＰにより給水桝１に給水するようにされているが、パイプラインから給水する場合には、電磁弁を設けてその電磁弁を制御することにより給水するようにされてもよい。
【００３３】
また、本実施形態では用水路Ｍから給水桝１に給水するようにされているが、排水路Ｎから給水するようにされてもよい。
【産業上の利用可能性】
【００３４】
本発明は農業に適用できる。
【符号の説明】
【００３５】
Ｓ        地下灌漑システム
Ｃ        制御盤
Ｃ１      電源スイッチ
Ｃ２      給水ポンプ電源コンセント
Ｃ３      下位水位センサ接続端子
Ｃ４      上位水位センサ接続端子
Ｃ５      ポンプ電源オン動作確認ランプ
Ｋ        圃場
Ｐ        給水ポンプ
Ｍ        用水路
Ｎ        排水路
Ｗ        水位検出器
１        給水桝
２        排水桝
２ａ      仕切板
２ｂ      水位検出室
２ｃ      排出室
３        給水分配管
４        排水集水管
５        有孔給水管
５ａ      孔
６        給水連絡管
７        排水連絡管
８        給水配管
９        排水管
【図１】
2015000035.tif 000003
【図２】
2015000035.tif 000004
【図３】
2015000035.tif 000005
【図４】
2015000035.tif 000006